(57)【特許請求の範囲】
【請求項１】
屈折率(n)を有し、且つ出光面と、基礎面と、少なくとも１つの入光面と、を含み、該入光面は、該出光面の一側に位置し、該基礎面は、該出光面と相対し、且つ該基礎面は、該出光面と厚さ(T)を隔てる本体と、
該基礎面上に位置する複数の微小構造部と、
を含み、１つの微小構造部は、更に、
相互に幅(P)を隔てる第１基部及び第２基部と、
頂点部と、
該第１基部及び該頂点部に接続し、且つ該第１基部及び該頂点部は、相互に第１距離(L1)を隔てる第１反射面と、
該第２基部及び該頂点部に接続し、且つ該第２基部及び該頂点部は、相互に第２距離(L2)を隔てる第２反射面と、
該第２基部及びもう１つの第１基部の間に位置し、該第２基部及びもう１つの第１基部は、相互に間隔(S)を隔てる平坦ユニットと、を含み、且つ以下の関係式:
【数１】
0005157022.tif 000009
を満足する導光装置。
【請求項２】
前記複数の微小構造部は、該基礎面上の凸状構造又は凹状構造に位置する請求項１に記載の導光装置。
【請求項３】
前記導光装置の関係式が更に、4.5 < n*T/S < 46を含む請求項１に記載の導光装置。
【請求項４】
前記微小構造部の第１距離(L1)及び第２距離(L2)の長さが同一でない請求項１に記載の導光装置。
【請求項５】
前記第１反射面又は該第２反射面の断面が直線、双曲線、楕円曲線又は放物線である請求項１に記載の導光装置。
【請求項６】
第１光学経路及び第２光学経路を投射することに用いる少なくとも１つの光源と、該第１光学経路及び該第２光学経路を受信することに用いる導光装置と、を含み、該導光装置は、
屈折率(n)を有し、且つ出光面と、基礎面と、少なくとも１つの入光面と、を含み、該入光面は、該出光面の一側に位置し、該基礎面は、該出光面と相対し、且つ該基礎面は、該出光面と厚さ(T)を隔てる本体と、
該基礎面上に位置する複数の微小構造部と、を含み、１つの微小構造部は、更に、相互に幅(P)を隔てる第１基部及び第２基部と、
頂点部と、
該第１基部及び該頂点部に接続し、且つ該第１基部及び該頂点部は、相互に第１距離(L1)を隔てる第１反射面と、
該第２基部及び該頂点部に接続し、且つ該第２基部及び該頂点部は、相互に第２距離(L2)を隔てる第２反射面と、
該第２基部及びもう１つの第１基部の間に位置し、該第２基部及びもう１つの第１基部は、相互に間隔(S)を隔てる平坦ユニットと、を含み、且つ以下の公式：
【数２】
0005157022.tif 000010
を満足するバックライトモジュール。
【請求項７】
前記微小構造部の第１距離(L1)及び第２距離(L2)の長さが異なる請求項６に記載のバックライトモジュール。
【請求項８】
前記第１反射面又は該第２反射面の断面が直線、双曲線、楕円曲線又は放物線である請求項６に記載のバックライトモジュール。
【発明の詳細な説明】
【技術分野】
【０００１】
本発明は、導光装置及び該導光装置を使用するバックライトモジュールに関し、特に、導光及び光拡散効果を有する導光装置及びそれを使用するバックライトモジュールに関する。
【背景技術】
【０００２】
近年より、従来の陰極線管ディスプレイ(俗称CRTディスプレイ)は、徐々に液晶ディスプレイに取って代わられ、主な原因は、液晶ディスプレイが放出する輻射量がＣＲＴディスプレイより遥かに小さいことにあり、また、液晶ディスプレイは、ここ数年で製造コストが顕著に低減されてきており、これも液晶ディスプレイが徐々にテレビ又はパソコンのスクリーン市場の主流となっている原因である。
【０００３】
一般的に、液晶ディスプレイは、何れも液晶パネル及びバックライトモジュールを含む。寸法の小さい液晶ディスプレイにおいて、液晶ディスプレイの厚さが過度に大きくなるか、又はコストが過度に高くなることを回避するため、通常、エッジ型バックライトモジュールを使用する。通常、エッジ型バックライトモジュールは、導光装置及び少なくとも１つの光源を含み、該光源は、該導光装置の側辺に設置され、該光源が射出する光線の光学経路は、導光装置の側辺から進入した後、光線が導光装置内部に伝達され、導光装置のうちの一面から射出する。そのうち、導光装置の最も重要な作用は、微小構造の設置又は反射点の局部反射により光線を導引し、光線を均一に該導光装置の表面から射出させる。
【０００４】
しかしながら、結構上の制限において、該導光装置が射出する光線は、通常、明暗の相互間の「暗帯現象」を呈し、バックライトモジュール全体の均一度が良好でなくなり、使用者の視覚認識に影響を及ぼす。従って、導光装置が射出する光線に如何に良好な均一度を持たせるかは、当業者の努力の目標である。
【発明の概要】
【発明が解決しようとする課題】
【０００５】
本発明の目的は、導光装置が射出する光線に良好な均一度を持たせ、バックライトモジュールの「暗帯現象」を消去し、液晶ディスプレイの光学効果を向上することにある。
【課題を解決するための手段】
【０００６】
上記の目的を達成する為、本発明は、導光装置を提供し、それは、本体及び複数の微小構造部を含み、該本体は、屈折率(n)を有し、且つ出光面と、基礎面と、少なくとも１つの入光面と、を含み、該入光面は、該出光面の一側に位置し、該基礎面は、該出光面と相対し、且つ該基礎面は、該出光面と厚さ(T)を隔てる。該微小構造部は、該基礎面上に位置し、各微小構造部は、更に、相互に幅(P)を隔てる第１基部及び第２基部と、頂点部と、第１反射面と、第２反射面と、平坦ユニットと、を含む。そのうち、該第１反射面は、該第１基部及び該頂点部に接続し、且つ該第１基部及び該頂点部は、相互に第１距離(L1)を隔て、該第２反射面は、該第２基部及び該頂点部に接続し、且つ該第２基部及び該頂点部は、相互に第２距離(L2)を隔て、該平坦ユニットは、該第２基部及びもう１つの第１基部の間に位置し、該第２基部及びもう１つの第１基部は、相互に間隔(S)を隔て、且つ以下の関係式を満足する:
【数１】
0005157022.tif 000002
【０００７】
上記の目的を達成する為、本発明は、バックライトモジュールを提供し、それは、少なくとも１つの光源及び導光装置を含み、該光源は、第１光学経路及び第２光学経路を投射することに用い、該導光装置は、該第１光学経路及び該第２光学経路を受信することに用いる。そのうち、該導光装置は、本体及び複数の微小構造部を含み、該本体は、屈折率(n)を有し、且つ出光面と、基礎面と、少なくとも１つの入光面と、を含み、該入光面は、該出光面の一側に位置し、該基礎面は、該出光面と相対し、且つ該基礎面は、該出光面と厚さ(T)を隔てる。該微小構造部は、該基礎面上に位置し、各微小構造部は、更に、相互に幅(P)を隔てる第１基部及び第２基部と、頂点部と、第１反射面と、第２反射面と、平坦ユニットと、を含む。そのうち、該第１反射面は、該第１基部及び該頂点部に接続し、且つ該第１基部及び該頂点部は、相互に第１距離(L1)を隔て、該第２反射面は、該第２基部及び該頂点部に接続し、且つ該第２基部及び該頂点部は、相互に第２距離(L2)を隔て、該平坦ユニットは、該第２基部及びもう１つの第１基部の間に位置し、該第２基部及びもう１つの第１基部は、相互に間隔(S)を隔て、且つ以下の公式を満足する：
【数２】
0005157022.tif 000003
【０００８】
これにより、該第１光学経路は、該平坦ユニットまで進行し、該本体中に全反射し、該第２光学経路は、該複数の微小構造部を経過し、該出光面に反射する。
【０００９】
上記導光装置のうち、該複数の微小構造部は、該基礎面上の凸状構造又は凹状構造に位置する。
【００１０】
上記導光装置のうち、該導光装置の関係式は、更に以下を含む:4.5 < n*T/S < 46。
【００１１】
上記導光装置のうち、該微小構造部の第１距離(L1)及び第２距離(L2)の長さが異なる。
【００１２】
上記導光装置のうち、該第１反射面又は該第２反射面の断面は、直線、双曲線、楕円曲線又は放物線を呈する。
【発明の効果】
【００１３】
これにより、本発明が記載する導光装置及びそれを使用するバックライトモジュールは、良好な光学均一度を有し、その光線の均一化が比較的良好であり、明暗の間の「暗帯現象」を発生しない。
【図面の簡単な説明】
【００１４】
【図１Ａ】本発明の第1実施例のバックライトモジュール及びその光学経路の説明図である。
【図１Ｂ】図１Ａの導光装置の光学効果図である。
【図１Ｃ】異なる構造寸法の導光装置の光学効果図である。
【図１Ｄ】Ｇの範囲が0.47〜4.8である時、n=1.53,H/P=0.5のパラメータ組み合わせの説明図である。
【図１Ｅ】Ｇの範囲が0.47〜4.8である時、T=2mm,H/P=0.5のパラメータ組み合わせの説明図である。
【図１Ｆ】Ｇの範囲が0.47〜4.8である時、T=2mm,n=1.53のパラメータ組み合わせの説明図である。
【図２】本発明の第２実施例のバックライトモジュールの説明図である。
【図３】本発明の第３実施例のバックライトモジュールの説明図である。
【図４】本発明の第４実施例の微小構造部の説明図である。
【図５】本発明の第５実施例の微小構造部の説明図である。
【図６】本発明の第６実施例の導光装置の説明図である。
【図７】本発明の第７実施例の導光装置の説明図である。
【発明を実施するための形態】
【００１５】
本発明の目的、特徴及び効果を分かり易くする為、以下に具体的実施例を挙げ、図面に併せて本発明を詳細に説明する。
【００１６】
図１Ａが示すのは、本発明の第１実施例のバックライトモジュール及びその光学経路の説明図である。図１Ａに示すように、バックライトモジュール1は、光源１２と、カバー１１と、導光装置１３と、含む。該光源１２及び該カバー１１は、何れも該導光装置１３の左辺外側に設置され、該光源１２は、光線を発出することに用い、該カバー１１は、該光源１２と隣り合い、該光源１２が射出する光線を反射することに用い、光線を該導光装置１３の左側辺から該導光装置１３の内部に進入させる。該導光装置１３は、本体１３１と、複数の平坦ユニット１３３と、複数の微小構造部１３２と、を含む。該本体１３１は、屈折率(n)を有し、且つ出光面１３Ａと、基礎面１３Ｃと、入光面１３Ｂと、を含む。該微小構造部１３２は、該基礎面１３Ｃ上の凸状構造に位置し、図１Ａの拡大図に示すように、各微小構造部１３２は、第１基部１３２１と、第２基部１３２２と、頂点部１３２３と、第１反射面１３２４と、第２反射面１３２５と、を含む。そのうち、該導光装置１３の材質は、ポリエチレンテレフタレート(Polyethylene Terephthalate,PET)、ポリカーボネート(Polycarbonate,PC)、トリアセチルセルロース(Tri-acetyl Cellulose,TAC)、ポリメチルメタクリレート(Polymethylmethacrylate,PMMA)、メチルメタクリレートスチレン(Methylmethacrylate styrene)、ポリスチレン(Polystyrene,PS)、サイクリックオレフィンコポリマー(Cyclic Olefin Copolymer,COC)である、又は、少なくとも２種の前記材質から構成されることができる。該出光面１３Ａは、該導光装置１３の上面に位置し、該入光面１３Ｂは、導光装置１３の左辺に位置し、該基礎面１３Ｃは、該導光装置１３の下面に位置するので、該入光面１３Ｂは、該出光面１３Ａの左側に位置し、該基礎面１３Ｃは、該出光面１３Ａと相対する。該基礎面１３Ｃ及び該出光面１３Ａは、厚さ(T)を隔てる。該微小構造部１３２は、該基礎面１３Ｃ上に位置し、該第１基部１３２１及び該第２基部１３２２は、幅(P)を隔てる。該第１反射面１３２４は、該第１基部１３２１及び該頂点部１３２３と接続し、且つ該第１基部１３２１及び該頂点部１３２３は、第１距離(L1)を隔てる。該第２反射面１３２５は、該第２基部１３２２及び該頂点部１３２３に接続し、且つ該第２基部１３２２は、該頂点部１３２３と第２距離(L2)を隔てる。該平坦ユニット１３３は、該第２基部１３２２及びもう１つの第１基部１３２１の間に位置し、その断面の距離は、間隔(S)であり、即ち、該平坦ユニット１３３は、２つの隣り合う微小構造部１３２の間の水平領域である。本実施例において、各微小構造部１３２の大きさ、形状は、何れも同一であり、各平坦ユニット１３３の間隔(S)も同一である。
【００１７】
図１Ａに示すように、該光源１２が射出する光線は、その経路が第１光学経路I1及び第２光学経路I2を含み、該導光装置１３は、光線の第１光学経路I1及び該第２光学経路I2を受けた後、該第１光学経路I1は、複数の平坦ユニット１３３まで進行し、該本体１３１中に全反射され、該第２光学経路I2は、複数の微小構造部１３２まで進行し、該出光面１３Ａに反射される。
【００１８】
好適実施例において、該光源１２は、冷陰極蛍光灯管(Cold cathode fluorescent lamp,CCFL)又は発光ダイオード(Light emitting diode,LED)であることができる。その他の実施例において、該光源１２及び該カバー１１は、更に、必要に応じて、それぞれ該導光装置１３の左右両外側辺に１つずつ設置することができる。このように、該導光装置の左右両側辺が入光面であり、且つ２つの光源が射出する光線は、それぞれ該導光装置の左右両側辺から該導光装置の内部に進入することができる。
【００１９】
この構造について、本願の発明者は、該導光装置１３の結構に対し、光学効果の実験を実施している。図１Ｂを参照し、図１Ｂが示すのは、図１Ａの導光装置の光学効果図である。そのうち、横軸は、該導光装置１３の異なる水平位置に相対し、縦軸は、該異なる位置の相対輝度であり、且つ、該相対輝度=平均輝度/最大輝度である。図１Ｂに示すように、該導光装置１３の相対輝度は、該微小構造部１３２の設置と関連し、該微小構造部１３２において、該相対輝度値は、ピーク値(peak)を呈する。該ピーク値及び平均値の差異が大き過ぎる場合、「暗帯現象」を招く。
【００２０】
従来の液晶ディスプレイの「暗帯現象」を改善し、その表示イメージの品質を向上するため、本願の発明者は、該導光装置１３に対し、異なる厚さ(T)、異なる屈折率(n)、異なる間隔(S)の前提において、相対輝度の実験を行う。図１Ｃを参照し、図１Ｃが示すのは、異なる構造寸法の導光装置の光学効果図である。図１Ｃが示すように、厚さ(T)、屈折率(n)の大きさが如何であるかを問わず、該微小構造部１３２の間隔(S)が徐々に小さくなるに従い、相対輝度も徐々に上昇する。即ち、前記微小構造部１３２の間隔(S)が小さいほど、該導光装置１３は、より多くの微小構造部１３２を設置することができ、該微小構造部１３２の密度が高いほど、その液晶ディスプレイの「暗帯現象」も目立たなくなる。経験に基づき、該相対輝度が０．４以上に達すれば、人が肉眼で明暗間の縞を識別することができず、「暗帯現象」が出現しない。
【００２１】
従って、相対輝度及び厚さ(T)、間隔(S)、屈折率(n)の数学的関係を求めるため、本願の発明者は、多数回の実験を経て、厚さ(T)、間隔(S)、屈折率(n)を組み合わせ、１つの無次元パラメータＵとし、該導光装置の特徴寸法として用い、そのうち、
U= n*T/S;
であり、ここで、該パラメータＵの単位は、無次元である。パラメータＵが厚さ(T)、間隔(S)及び屈折率(n)の関数であるので、異なる大きさの厚さ(T)、間隔(S)により、異なる材質のパラメータＵの数値を測り得ることができる。更に、実験を経て、該無次元パラメータＵの範囲が4.5〜46である時、該導光装置１３は、より良好な均一効果を有する。即ち、以下である。
4.5 < n*T/S <46                       (1)
【００２２】
また、該導光装置１３の結構以外に、該微小構造部１３２の外観、輪郭も、出光効果に影響する重要なパラメータである。従って、該無次元パラメータＵ以外に、該微小構造部１３２の深さと幅の比の範囲も出光効果に影響を及ぼす。図１Ａの拡大図に示すように、該深さと幅の比は、H/Pであり、該深さ(H)は、該微小構造部１３２の垂直方向における距離である。経験に基づき、該微小構造部１３２の深さと幅の比が0.05〜0.5の間にある。即ち、以下である：
0.05 < H/P < 0.5                       (2)
【００２３】
更に、該微小構造部１３２の寸法効果を間隔(S)の効果と結合し、ここでは、特に、上記の公式(1)と公式(2)を結合し、以下を導出する:
【数３】
0005157022.tif 000004
そのうち、θが該第１反射面１３２４と該基礎面１３Ｃの挟み角である。また、P、L1、L2が三角形を囲うので、L22=L12+P2-2PL1cosθであり、従って、
【数４】
0005157022.tif 000005
公式(4)を公式(3)に代入する:
【数５】
0005157022.tif 000006
公式(5)の平方根を求める:
【数６】
0005157022.tif 000007
そのうち,該微小構造部１３２の第１距離(L1)及び第２距離(L2)の長さは、異なることができる。
【００２４】
上記の導出から分かるように、上記公式(6)の関係式を満足する場合、該バックライトモジュール１の出光効果は、比較的均一であり、該導光装置１３の「暗帯現象」が存在しなくなる。これにより、公式(6)の定義を介し、該導光装置１３及びそれを使用するバックライトモジュール１の均一化範囲を求め、それにより、生産メーカーに最も良好な導光装置１３及びバックライトモジュール１を設計させ、明暗の間の「暗帯現象」が発生することを懸念することがない。
【００２５】
上記公式(6)の屈折率(n)、厚さ(T)、間隔(S)、幅(P)、第１距離(L1)、第２距離(L2)は、均一化指標Ｇを定義することができる:
【数７】
0005157022.tif 000008
これにより、均一化指標Ｇの範囲が0.47〜4.8である時、該導光装置１３は、「暗帯現象」を発生しない。
【００２６】
更に、当業者がＧの各種のパラメータの組み合わせを明確に理解するため、ここでは、更に、図表方式で該均一化指標Ｇの範囲が0.47〜4.8である時のＧの値と間隔(S)の関係を列記する。図１Ｄを参照し、図１Ｄが示すのは、Ｇの範囲が0.47〜4.8である時、n=1.53,H/P=0.5のパラメータの組み合わせに対する説明図である。図１Ｄに示すように、該導光装置１３の厚さ(T)が大きいほど、その均一化指標Ｇも高くなる。また、同一の厚さ(T)の状況において、該間隔(S)が小さいほど、その均一化指標Ｇも高くなる。均一化指標Ｇが高いほど、該導光装置１３の均一化の効果が良好であり、「暗帯現象」を発生しないことを意味する。図から分かるように、該導光装置１３の厚さ(T)が1mmである時、Ｇの値が1.1〜2.9である。該厚さ(T)が2mmである時、Ｇの値が1.5〜3.9である。該厚さ(T)が3mmである時、Ｇの値が2〜4.8である。
【００２７】
図１Ｅを参照し、図１Ｅが示すのは、Ｇの範囲が0.47〜4.8である時、T=2mm,H/P=0.5のパラメータの組み合わせに対する説明図である。図１Ｅに示すように、該導光装置１３が異なる材質を使用する時、その異なる屈折率(n)がもたらす均一化指標Ｇの差異は大きくない。更に、図１Ｄの傾向と同一であり、該間隔(S)が小さいほど、その均一化指標Ｇが高くなる。図面から分かるように、どの種の材質の導光装置１３であるかを問わず、そのＧの値は、1.5〜3.9である。
【００２８】
図１Ｆを参照し、図１Ｆが示すのは、Ｇの範囲が0.47〜4.8である時、T=2mm,n=1.53のパラメータの組み合わせに対する説明図である。図１Ｆに示すように、該導光装置１３の深さと幅の比が大きいほど、H/Pの値が大きく、その均一化指標Ｇも高くなる。更に、該間隔(S)が小さいほど、その均一化指標Ｇが高くなる。該導光装置１３の深さと幅の比H/Pが0.05である時、そのＧの値は、0.5〜1.2である。該導光装置１３の深さと幅の比H/Pが0.25である時、そのＧの値が1.1〜2.8である。該導光装置１３の深さと幅の比H/Pが0.50である時、そのＧの値は、1.6〜4である。該導光装置１３の深さと幅の比H/Pが0.75である時、そのＧの値が2〜4.8である。
【００２９】
当然、本発明は、更に、その他の実施例を有する。図２を参照し、図２が示すのは、本発明の第２実施例のバックライトモジュールの説明図である。図２に示すように、該バックライトモジュール２は、光源２２、カバー２１及び導光装置２３を含む。そのうち、相似する構造は、ここでは、再度記載しない。該バックライトモジュール２の複数の微小構造部２３２は、その断面が同一形状、同一寸法の二等辺三角形である。２つの隣り合う微小構造部２３２の間の平坦ユニット２３３は、その断面の間隔(S)は、同一でない。図２に示すように、複数の平坦ユニット２３３の間隔(S)は、右辺によるほど、その値は小さくなる。なぜならば、該光源２２による箇所は、該光線(図示せず)の密度が比較的高く、比較的大きな面積の平坦ユニット２３３を要して光線を反射し、光線を該導光装置２３の右辺まで伝達することができるからである。このように、該導光装置２３に射出する光線エネルギーが均一になる。
【００３０】
図３を参照し、図３が示すのは、本発明の第３実施例のバックライトモジュールの説明図である。図３に示すように、該バックライトモジュール３は、光源３２と、カバー３１と、導光装置３３と、を含む。そのうち、該バックライトモジュール３の複数の微小構造部３３２は、該基礎面３３Ｃ上の凹状構造に位置し、該微小構造部３３２は、反射光線を用いることもでき、該導光装置３３内部の光線(図示せず)を均一に右方に伝達することができる。
【００３１】
図４を参照し、図４が示すのは、本発明の第４実施例の微小構造部の説明図である。図４に示すように、該導光装置４３の第１反射面４３２４が平面であるので、該第１反射面４３２４の断面が直線を呈する。該導光装置４３の第２反射面４３２５は、略下向きに凸出する曲面であるので、該第２反射面４３２５の断面は、双曲線、楕円曲線又は放物線を呈することができる。これにより、該導光装置４３は、該微小構造部４３２の異なる輪郭の第１反射面４３２４及び第２反射面４３２５により、反射する光線に良好な導光効果を達成させることができる。
【００３２】
図５を参照し、図５が示すのは、本発明の第５実施例の微小構造部の説明図である。図５に示すように、該導光装置５３の第１反射面５３２４は、略上向きに凹んだ曲面であり、第２反射面５３２５は、略下向きに突出した曲面である。これにより、本実施例も、前記効果を達成することができる。
【００３３】
図６を参照し、図６が示すのは、本発明の第６実施例の導光装置の説明図である。図６に示すように、該導光装置６３上に複数の微小構造部６３２を含み、該微小構造部６３２は、三角プリズム柱状を呈し、且つそれぞれ該本体６３１の異なる高さに分布する。好適実施例において、該微小構造部６３２は、周期的高低起伏の方式で分布設置される。
【００３４】
図７を参照し、図７が示すのは、本発明の第７実施例の導光装置の説明図である。図７に示すように、該導光装置７３上に複数の微小構造部７３２を含み、該微小構造部７３２は、該本体７３１の同一高さ上に水平に分布し、且つ各微小構造部７３２は、何れも湾曲弧状の繰り返しを呈する。
【００３５】
上記のように、本発明が記載する導光装置及びそれを使用するバックライトモジュールは、該導光装置及び該微小構造部の寸法特徴を無次元化し、異なる寸法構造の光学効果を求める。前記のように、どの種の実施例かを問わず、該導光装置及び該微小構造部の寸法特徴は、公式(6)の範囲に適合する時、該導光装置は、最も良好な光学均一度を具え、その光線の均一化効果が良好であり、明暗の間の「暗帯現象」を発生しない。
【００３６】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３７】
１，２，３   バックライトモジュール
１１，２１，３１  カバー
１２，２２，３２  光源
１３，２３，３３，４３，５３，６３，７３  導光装置
１３Ａ  出光面
１３Ｂ  入光面
１３Ｃ，３３Ｃ  基礎面
１３１，６３１，７３１  本体
１３２，２３２，３３２，４３２，６３２，７３２  微小構造部
１３２１  第１基部
１３２２  第２基部
１３２３  頂点部
１３２４，４３２４，５３２４  第１反射面
１３２５，４３２５，５３２５  第２反射面
１３３，２３３  平坦ユニット
θ  挟み角
Ｔ  厚さ
Ｐ  幅
Ｈ  深さ
Ｓ  間隔
Ｌ１  第１距離
Ｌ２  第２距離
Ｉ１  第１光学経路
Ｉ２  第２光学経路
【図１Ａ】
0005157022.tif 000011
【図１Ｂ】
0005157022.tif 000012
【図１Ｃ】
0005157022.tif 000013
【図１Ｄ】
0005157022.tif 000014
【図１Ｅ】
0005157022.tif 000015
【図１Ｆ】
0005157022.tif 000016
【図２】
0005157022.tif 000017
【図３】
0005157022.tif 000018
【図４】
0005157022.tif 000019
【図５】
0005157022.tif 000020
【図６】
0005157022.tif 000021
【図７】
0005157022.tif 000022